(57)【要約】【課題】撮像装置のユーティリティ電源の交流の出力電流量または出力電力量を確認する。【課題を解決するための手段】ＡＣ１００ＶまたはＡＣ１１７ＶまたはＡＣ２３０Ｖを入力する制御部と概制御部から２次側交流電圧の供給を受ける撮像部とを備え、撮像部に、ユーティリティ電源交流出力を有する撮像装置において、ユーティリティ電源交流出力の電流量を検出し該検出したユーティリティ電源交流出力の電流量と定格電流量とを画面表示することと、該検出したユーティリティ電源交流出力の電流量からユーティリティ電源交流出力の電力量を算出し該算出した電力量と定格電力量とを画面表示することと、の少なくとも一つを行う。【選択図】図１
2012060457.tif 000002
【特許請求の範囲】
【請求項１】
複数種類の商用交流電源電圧を入力する制御部と概制御部から２次側交流電圧の供給を受ける撮像部とを備え、撮像部に、ユーティリティ電源交流出力を有する撮像装置において、
ユーティリティ電源交流出力の電流量を検出し該検出したユーティリティ電源交流出力の電流量と定格電流量とを画面表示することと、
該検出したユーティリティ電源交流出力の電流量からユーティリティ電源交流出力の電力量を算出し該算出した電力量と定格電力量とを画面表示することと、
の少なくとも一つを行う撮像装置。
【発明の詳細な説明】
【技術分野】
【０００１】
本発明は、撮像装置に用いる電源の表示に関するものである。
【背景技術】
【０００２】
従来、テレビジョンカメラシステムでは撮像部（カメラヘッド）と接続された制御部（Camera-Control-Unit:CCU）との間で本線映像信号，送り返し映像信号，音声信号，コントロール用シリアルデータ信号，及び電源の送受信の時分割双方向伝送を３重同軸（トライアックス）ケーブル１本の伝送路で行う方法をデジタルトライアックスシステムと称する（特許文献１）。
【０００３】
有効走査線７２０本と有効走査線１０８０本のハイビジョンでは、本線映像信号，送り返し映像信号，音声信号，コントロール用シリアルデータ信号の送受信伝送と電源供給送を光ケーブルで用いる方が一般であるが、トライアックスケーブルを施設に敷設してある場合は、デジタルトライアックスシステムを用いる。
【０００４】
制御部に入力する商用交流入力電源電圧は一般にＡＣ１００ＶとＡＣ１１７ＶとＡＣ２３０Ｖであり、撮像部給送する電源電圧は一般にＡＣ２３０Ｖである。
【０００５】
図３は従来技術の電源の供給を示すブロック図である。
従来から撮像部と制御部から成るカメラシステムでは、カメラアダプタ出力に、プロンプト電源や照明器具等の電源用として、ＡＣ２３０Ｖが出力されており、これをユーティリティ電源と呼んでいる。このユーティリティ電源の仕様は１００ＶＡであるが、実際に使用する電源量はお客により異なっており、プロンプト用として高い電源量を必要とする。また照明器具用として低い電源量で十分な場合もある。
【０００６】
従来のカメラシステムでは、ユーティリティ電源ＡＣ２３０Ｖの出力電流量または出力電力量を確認できない。
たとえば、出力電力量仕様１００ＶＡに対し、実際は３０ＶＡしか使用しておらず、もっと多くの電源を必要としているが、現在の電源量が確認出来ない為、必要とする電源を供給できない。
【先行技術文献】
【特許文献】
【０００７】
【特許文献１】特開平７−２０３３９９号公報
【発明の概要】
【発明が解決しようとする課題】
【０００８】
撮像装置のユーティリティ電源の交流の出力電流量または出力電力量を確認することが本発明の目的である。
【課題を解決するための手段】
【０００９】
本発明は、上記課題を解決するため、複数種類の商用交流電源電圧を入力する制御部と概制御部から２次側交流電圧の供給を受ける撮像部とを備え、撮像部に、ユーティリティ電源交流出力を有する撮像装置において、ユーティリティ電源交流出力の電流量を検出し該検出したユーティリティ電源交流出力の電流量と定格電流量とを画面表示することと、該検出したユーティリティ電源交流出力の電流量からユーティリティ電源交流出力の電力量を算出し該算出した電力量と定格電力量とを画面表示することと、の少なくとも一つを行う撮像装置である。
【発明の効果】
【００１０】
本発明によれば、撮像装置のユーティリティ電源の交流の出力電流量または出力電力量を確認することができる。
【図面の簡単な説明】
【００１１】
【図１】本発明の一実施例の制御部と撮像部とを含む撮像装置の電源の供給を示すブロック図
【図２】本発明の一実施例のユーティリティ電源のＡＣ２３０Ｖ出力のPIX MONITOR上への表示の模式図（（ａ）電力量表示、（ｂ）電流量表示）
【図３】従来技術の電源の供給を示すブロック図
【発明を実施するための形態】
【実施例１】
【００１２】
本発明による撮像装置の一実施例の動作の概要を本発明の一実施例の制御部と撮像部とを含む撮像装置の電源の供給を示すブロック図の図１と本発明の一実施例のユーティリティ電源のＡＣ２３０Ｖ出力のPIX MONITOR上への表示の模式図の図２とを用いて説明する。
【００１３】
本発明の一実施例の制御部と撮像部とを含む撮像装置の電源を示すブロック図の図１において、ＡＣ入力電源電圧（ＡＣ１１７〜２３０Ｖ）は、ＡＣインデッド１０９から制御部１２０内に入力され、電源スイッチ１１０（スイッチはＯＮ状態）,サーキットブレーカ１１１を通り、ＡＣ/ＤＣ電源１１４に入力される。ＡＣ/ＤＣ電源１１４ではＡＣ入力電源電圧からＤＣ＋１２Ｖへ変換を行う。
【００１４】
このＤＣ＋１２Ｖは電源基板１１５に入力され、電源基板１１５ではこの制御部１２０内で必要とする各ＤＣ電源が生成される。
【００１５】
同時にＡＣ入力電源電圧は、ＡＣ−ＳＷ基板１１２を通り、電源トランス１１３の一次側に入力される。電源トランス１１３の二次側からＡＣ２３０Ｖが出力され、電源基板１１５を通り、ケーブルで撮像部１１９に伝送される。
【００１６】
撮像部１１９に入力されたＡＣ２３０Ｖは、ＩＦ基板１０４を通り、ＡＣ―ＤＣ基板１０２内のＡＣ／ＤＣコンバータ１０３により、ＤＣ３００Ｖに変換され、さらにＤＣ／ＤＣコンバータ１０１によりＤＣ＋１２Ｖに変換される。
このＤＣ＋１２Ｖは、カメラ用電源やカメラアダプタ内の各電源電圧の生成用として使用される。
【００１７】
同時にＡＣ２３０Ｖは、ＩＦ基板１０４を通り、ユーティリティ電源として、外部に出力される。
【００１８】
この時、ＡＣ２３０Ｖに流れる消費電流をＡＣ電流検出回路１０５により検出し、ＡＤ変換用ＩＣ１０６でデジタル値に変換する。ＣＰＵ１０８ではこのデジタル値より消費電流を算出し、ＦＰＧＡ１０７にデータを送る。
ＦＰＧＡ１０７ではＣＰＵ１０８から送られたデータからユーティリティ電源の消費電力を計算し、この計算値を制御部１２０に伝送する。制御部１２０では、この計算値をキャラクタＭＩＸし、ＰＩＸ  ＭＯＮＩＴＯＲ出力に表示する。
【００１９】
例えば、ＡＣ電流検出回路１０５で検出した電流量が０．３Ａの場合、ユーティリティ電源の電力量は、ＡＣ２３０Ｖ×０．３Ａ＝６９ＶＡとなる。これらの電流量または電力量がＰＩＸ  ＭＯＮＩＴＯＲ上に表示される。
これらの電流量または電力量はＣＨＥＣＫメニュー上に表示させ、使用者が確認した場合に表示させると使い勝手が良い。
【符号の説明】
【００２０】
１０１：ＤＣ／ＤＣコンバータ、１０２：ＡＣ−ＤＣ基板、
１０３：ＡＣ／ＤＣコンバータ、１０４,１１６：ＩＦ基板、
１０５：ＡＣ電流検出回路、１０６：Ａ／Ｄ、
１０７,１１７：ＦＰＧＡ、１０８：ＣＰＵ、
１０９：ＡＣインレット、１１０：電源スイッチ、
１１１：サーキットブレーカ、１１２：ＡＣ-ＳＷ基板、
１１３：電源トランス、１１４：ＡＣ／ＤＣ電源、
１１５：電源基板、１１８：同軸コネクタ、
１１９：撮像部、１２０：制御部
２０４：ＩＦ基板、２１１：電源基板、２１２：撮像部、２１３：制御部
【図１】
2012060457.tif 000003
【図２】
2012060457.tif 000004
【図３】
2012060457.tif 000005